(57)【特許請求の範囲】
【請求項１】
テントの骨組を構成するフレームと、該フレームの外側を覆い、テントの外壁を形成する外壁シートと、
前記フレームに、前記外壁シートの内面から所定の間隔を置いて内側に固定された網状部材と、
テントの内側から前記外壁シートを目掛けて吹き付けられ、前記網状部材を包むように形成された発泡硬質ウレタンの層と、
前記外壁シートおよび前記発泡硬質ウレタンの層からなる外側の断熱層との間に空間をあけて、前記フレームの内側に張り付けられた断熱シートと、
前記外側の断熱層と前記断熱シートの間に形成された空間を通気ダクトとして用いる空調機と、を有し、
前記断熱シートには、前記空調機により空調された空気が前記通気ダクトからテント内空間に吹き出される吹き出し孔が形成されていることを特徴とする断熱テント倉庫。
【請求項２】
前記フレームが、所定の直径の金属パイプであることを特徴とする請求項１記載の断熱テント倉庫。
【請求項３】
前記網状部材が前記フレームの内側に固定されたことを特徴とする請求項１又は２記載の断熱テント倉庫。
【請求項４】
前記網状部材は金網であることを特徴とする請求項１、２又は３記載の断熱テント倉庫。
【請求項５】
前記網状部材が前記フレームの外側にも固定されたことを特徴とする請求項１、２、３又は４記載の断熱テント倉庫。
【発明の詳細な説明】
【０００１】
【発明の属する技術分野】
本発明は断熱テント倉庫に関する。
【０００２】
【従来の技術】
従来から、農作物等を保存するために設けられる冷蔵保温施設は、所定の空間を断熱材で覆って内空間が形成され、その内空間を冷却装置を用いて冷却する構造になっている。このような冷蔵施設では、先ず頑強な建物を建設し、その建物の中にパネル状の断熱材をプレハブ式に組み立てることで内空間を形成している。または、頑強な建物の壁に発泡ウレタンを吹きつけて断熱材の層を形成し、内空間を形成しているものもある。このような構造の施設は、大型の冷蔵施設に適しており、組合組織で大量の農作物の出荷調整を行う場合等に利用されている。これらの施設では、断熱材による断熱効果によって内空間を保温することができ、冷却装置を運転して、内空間の温度を所定の範囲に維持している。
【０００３】
【発明が解決しようとする課題】
しかしながら、上述したような従来の冷蔵施設を建設するには多額の費用を必要とし、中小規模の施設、或いは簡易的な施設を構築するには不向きであるという課題があった。
最近の農業では、農作物の多様化が進み、各農家が個別に出荷調整を行うことが求められてきているが、各農家が個別に出荷調整を行う場合は、中小規模、或いは簡単に組立解体できる簡易的な冷蔵施設で十分であり、構築コスト及びランニングコストの低いものでなければ普及しない。
【０００４】
そこで、本発明の目的は、内空間の温度を所定の範囲に維持する冷蔵施設（保温施設）等を、容易に構築でき、施工コストを低減できる断熱テント倉庫を提供することにある。
【０００５】
【課題を解決するための手段】
本発明は上記目的を達成するため次の構成を備える。すなわち、本発明に係る断熱テント倉庫は、テントの骨組を構成するフレームと、該フレームの外側を覆い、テントの外壁を形成する外壁シートと、前記フレームに、前記外壁シートの内面から所定の間隔を置いて内側に固定された網状部材と、テントの内側から前記外壁シートを目掛けて吹き付けられ、前記網状部材を包むように形成された発泡硬質ウレタンの層と、前記外壁シートおよび前記発泡硬質ウレタンの層からなる外側の断熱層との間に空間をあけて、前記フレームの内側に張り付けられた断熱シートと、前記外側の断熱層と前記断熱シートの間に形成された空間を通気ダクトとして用いる空調機と、を有し、前記断熱シートには、前記空調機により空調された空気が前記通気ダクトからテント内空間に吹き出される吹き出し孔が形成されていることを特徴とする。
【０００６】
また、前記フレームが、所定の直径の金属パイプであることで、所定の厚さの断熱層を好適且つ容易に形成できる。
【０００７】
また、前記網状部材が前記フレームの内側に固定されたことで、作業性よく固定でき、容易に構成できる。
【０００８】
また、前記網状部材は金網であることで、フレームに溶接等で容易に固定でき、強度的にも強く、しかも発泡硬質ウレタンとの密着性がよく、断熱層を好適に形成できる。
【０００９】
また、前記網状部材が前記フレームの外側にも固定されたことで、厚い断熱層を好適に形成できると共に断熱テント倉庫の構造強度を向上できる。
【００１０】
【発明の実施の形態】
以下、本発明に係る断熱テント倉庫の好適な実施の形態を添付図面に基づいて詳細に説明する。
図１は、本発明に係る断熱テント倉庫の一実施例の要部を説明する断面図であり、図２は図１の実施例の内側から見たフレームと網状部材の固定状態を示す図面（内面図）である。また、図３は断熱テント倉庫１０全体の一実施例を説明する断面図であり、図４は断熱テント倉庫１０全体の外観を示す斜視図である。
【００１１】
１２はフレームであり、断熱テント倉庫１０のテントの骨組を構成する。１４は外壁シートであり、フレーム１２の外側を覆い、テントの外壁を形成する。１６は網状部材であり、外壁シート１４の内面１４ａから所定の間隔を置いて内側に固定されている。また、１８は発泡硬質ウレタンの層であり、テントの内側から外壁シート１４を目掛けて吹き付けられ、網状部材１６を包むように形成された断熱層である。
【００１２】
テントの骨組を構成する構造材（フレーム１２）としては、例えば、直径３０〜５０ｍｍ程度の鉄パイプを用いればよい。フレーム１２が、所定の直径の金属パイプであることで、その直径を目安に、所定の厚さの発泡材から成る断熱層（発泡硬質ウレタンの層１８）を好適且つ容易に形成できる。大規模なテント倉庫の場合には、パイプ状のフレーム１２に限らず、強度の高いいわゆる鉄骨を利用すればよい。
【００１３】
テントの外側を覆う外壁シート１４としては、公知のものを利用すればよい。また、断熱性を高めるには、断熱構造を有する断熱シートを外壁シート１４の内側に配するか、外壁シート１４自体として利用すればよい。
【００１４】
網状部材１６は、金属材から成り、例えば直径３〜５ｍｍ程度のピアノ線を縦横に編んだワイヤメッシュ状に形成され、マス目の大きさが例えば５〜１０ｃｍ程度に設けられた金網を用いればよい。マス目の形状は、通常は碁盤の目のように略正方形のものが適するが、これに限定されるものではなく、例えば菱形でもよい。また、金属板に切目を入れて引き延ばすことで形成されるラス網と呼ばれるものを利用することも可能である。
このように網状部材１６が金網であることで、金属材から成るフレーム１２に溶接Ｗ等で容易に固定でき、強度的にも強く、しかも発泡硬質ウレタンとの密着性がよく、断熱層（発泡硬質ウレタンの層１８）を好適に形成できる。
【００１５】
また、網状部材１６は、フレーム１２へ、溶接以外の手段、例えばビス或いはワイヤ（ロープ）によって固定してもよい。これにより、外側シート１４の内面１４ａ側を網状部材１６で好適に覆うことができる。
また、網状部材１６がフレーム１２の内側（倉庫空間内側）に固定する場合は、図１又は図２に示すようにパイプ状のフレーム１２の内側上に網状部材１６を接触させた状態に、複数のフレーム１２に亘って配置すればよい。すなわち、フレーム１２の内側に単純に重ねて張ればばよく、作業性よく固定できる。このとき、フレーム１２が一定の直径のパイプで統一されていれば、外側シート１４の内面１４ａから網状部材１６までの間隔を容易に均一に統一できる。
【００１６】
発泡硬質ウレタンの層１８は、施工現場で、公知のミキシング装置によって発泡剤を含む主剤と硬化剤の２液が適宜混合されると共に公知の吹付装置によって所定の部位へ吹き付けられ、発泡して硬化することで形成される。
【００１７】
このとき、外壁シート１４は、発泡硬質ウレタンの層１８を形成するため、型枠の一面として作用する。
すなわち、先ず、ノズルから噴出した発泡硬質ウレタン材料が、網状部材１６を通過して外側シート１４の内面１４ａに当たって、そこに付着する。つまり、吹き付けられる。そして、その表面に発泡硬質ウレタン材料が徐々に厚くなるように順次吹付られて、所定の厚さの発泡硬質ウレタンから成る層１８が発泡・硬化されて形成される。従って、発泡硬質ウレタンの層１８を形成するために特別な型枠を必要としないで、好適な断熱層を得ることができる。
なお、発泡硬質ウレタンの金属材に対する密着性は、良好であり、網状部材及びフレームに好適に付着できる。
また、この発泡硬質ウレタンは、内部に通気性のない発泡空間を好適に備え、断熱材として効果が大きい。
【００１８】
そして、その発泡硬質ウレタンの吹付量は、少なくとも網状部材１６が発泡硬質ウレタンの中に内在する厚さになる程度であるとよい。好適な断熱性能を得ることができると共に、網状部材１６が発泡硬質ウレタンによって包まれた状態になるため、構造強度を向上できる。これは、発泡硬質ウレタンの層１８自体に壁面としての構造強度があるのと共に、鉄筋コンクリート構造と同様に、網状部材１６が心材となり、構造強度が向上するためである。また、網状部材１６は、発泡硬質ウレタン内に埋めこまれた状態となるため、腐食することがなく、耐久性が向上する。
【００１９】
また、このように形成された発泡硬質ウレタンの層１８から、経時変化や、風の影響で外壁シート１４が剥離しても、発泡硬質ウレタンの層１８は網状部材１６及びフレーム１２によって支持されるから問題はない。
このように本発明によれば、テントの外壁シート１４のすぐ内側で、フレーム１２、及びフレーム１２に予め固定しておいた網状部材１６を、断熱材としての発泡硬質ウレタンによって覆うと共に包み込むことで、断熱性能を向上できると共に、テントの構造強度を向上できる。
なお、テントの基礎的構造強度を向上させるには、フレーム１２を高い密度に配置するか、フレーム１２同士をかすがい等で補強することができるのは勿論である。
【００２０】
発泡硬質ウレタンの層１８は、発泡されたものであり、気体粒が分散された状態に内在するため、その断熱性能が高いと共に軽量である。従って、テントのフレーム１２に所定以上の悪影響を及ぼす重量負荷を与えることなく、天井面を含めて好適に形成され、支持される。
なお、発泡硬質ウレタンの層１８は、倉庫の内部が人目にふれる部分ではなく、ある程度均一な厚さを有するものであれば、表面がきれいに見栄え良く形成されることを要しないのは勿論である。
【００２１】
次に本発明に係る断熱テント倉庫の施工方法について説明する。
図３及び図４に示す断熱テント倉庫は、冷蔵施設であり、基礎２０を設けた後、その基礎２０上にフレーム１２を組み立て、前述したような網状部材１６を固定すると共に外壁シート１４で覆い、発泡硬質ウレタンの層１８を形成することで構築される。
【００２２】
外壁シート１４は、型枠として機能するため、特別な型枠を要せず、作業性を向上でき、製造コストを低減できる。
作業者は、網状部材１６と外壁シート１４の内面１４ａとの間隔に相当するフレーム１２の直径を一つの目安に、発泡硬質ウレタンを吹き付ければよいので、均一な断熱層を容易に形成することができる。
【００２３】
また、この工法によれば、側壁の断熱層或いは天井の断熱層という区別なく、どの部位についても、発泡硬質ウレタンによる断熱層を好適に形成することができる。特に、天井については、日差しが強く当たるため、厚い断熱層（発泡硬質ウレタンの層１８）を形成することが望ましいが、本発明によれば、容易に形成できる。
【００２４】
なお、より厚い断熱層を必要とする場合は、網状部材１６を、フレーム１２の表裏両面に固定して２重に固定してもよい。また、そのように網状部材１６をフレーム１２の外側にも固定して２重に形成することで、断熱テント倉庫１０の構造強度をより向上できる。
ところで、網状部材１６がフレーム１２に固定されていない場合は、フレーム１２はしっかりしていても、外壁シート１４が風で揺れるため、発泡硬質ウレタンを吹き付けても好適に均一に付着することができず、好適な断熱層を形成することは困難である。
【００２５】
以上のようにして形成された内空間３０を冷蔵施設として利用すれば、冷蔵を要する貯蔵物を好適に収容しておくことが可能である。なお、この場合は、内空間を冷却する冷却装置（空調装置）が別途設けられる。
以上のように構築された冷蔵施設は、空調装置の冷房を強く効かせるようにすれば冷凍庫（冷凍施設）として使用することも可能である。
また、温度を所定の範囲内に保つことができるので、人工きのこ栽培等の農作物の栽培や、家畜の畜舎等としても使用できる。この場合にはテント内の換気を行わなければならないので、適宜な換気装置を設置すればよい。
【００２６】
また、以上のように構成された側壁及び天井の断熱層構造は、内側が断熱シートによって覆われた２重構造のテント倉庫にも適用できるのは勿論である。なお、断熱シートで内側を覆うには、図３の構造のテントでは、内側のフレーム２２の内側に張ればよく、容易にできる。
また、その２重構造の外側の断熱層（発泡硬質ウレタンの層１８及び外壁シート１４から成る層）と内側の断熱シートとの間に設けられる送風用の空間内に空調された空気を送り込む空調機と、その空調機によって送られた空気がテント内空間へ吹き出されるように内側の断熱シートに設けられた吹き出し孔とを具備し、前記送風用の空間を空調機のダクトとして使用するテント倉庫にも好適に適用できる。
【００２７】
以上の実施例では冷蔵施設について説明したが、保温施設としても好適に利用できるのは勿論である。
以上、本発明の好適な実施の形態について種々述べてきたが、本発明は上述する実施の形態に限定されるものではなく、発明の精神を逸脱しない範囲で多くの改変を施し得るのはもちろんである。
【００２８】
【発明の効果】
本発明に係る断熱テント倉庫よれば、フレーム固定された網状部材を包むように形成された発泡硬質ウレタンの層を有するため、構造強度が高く、好適な断熱性能を有する。そして、発泡硬質ウレタンの層は、吹き付けによって網状部材を包むように設けられるため、容易に形成でき、施工コストを低減できるという著効を奏する。
【図面の簡単な説明】
【図１】本発明に係る断熱テント倉庫の一実施例の要部を説明する断面図である。
【図２】図１の実施例の内面図である。
【図３】断熱テント倉庫全体の一実施例を説明する断面図である。
【図４】断熱テント倉庫全体の外観を示す斜視図である。
【符号の説明】
１０  断熱テント倉庫
１２  フレーム
１４  外壁シート
１４ａ  外壁シートの内面
１６  網状部材
１８  発泡硬質ウレタンの層
【図１】
0004031581.tif 000002
【図２】
0004031581.tif 000003
【図３】
0004031581.tif 000004
【図４】
0004031581.tif 000005